(57)【要約】本発明は、操作用の取っ手を有する座席（１０）において、上記座席は、固い材料でできた支持部材（１６）と、上記支持部材の上にカバー（１９）によって保持された柔軟な詰物（１８）とを含んでなり、上記支持部材（１６）は、開口部（２０）と扉（２２）とを有し、上記開口部の少なくとも１つの端部（２４）は、取っ手用の把持端部を形成し、上記扉（２２）は、上記扉（２２）が上記支持部材（１６）の概ね延長上に位置付けられる閉鎖位置と、少なくとも１つの上記把持端部にアクセス可能な開口位置との間を可動であることを特徴とする、操作用の取っ手を有する座席に関する。
2006509607.tif 000002
【特許請求の範囲】
【請求項１】
操作用の取っ手を有する座席（１０）において、上記座席は、固い材料でできた支持部材（１６）と、上記支持部材の上にカバー（１９）によって保持された柔軟な詰物（１８）とを含んでなり、上記支持部材（１６）は、開口部（２０）と扉（２２）とを有し、上記開口部の少なくとも１つの端部（２４）は、取っ手用の把持端部を形成し、上記扉（２２）は、上記扉（２２）が上記支持部材（１６）の概ね延長上に位置付けられる閉鎖位置と、少なくとも１つの上記把持端部にアクセス可能な開口位置との間を可動であることを特徴とする、操作用の取っ手を有する座席。
【請求項２】
上記扉（２２）は、上記閉鎖位置において、上記開口部（２０）を塞ぐことを特徴とする、請求項１に記載の操作用の取っ手を有する座席。
【請求項３】
上記扉（２２）は、上記開口部（２０）の、上記把持端部を形成する端部以外の端部に連結された回動軸（２８）の周りに回動可能であることを特徴とする、請求項１または２に記載の操作用の取っ手を有する座席。
【請求項４】
上記扉（２２）は、上記開口位置において、上記詰物（１８）の方へ向けられることを特徴とする、請求項３に記載の操作用の取っ手を有する座席。
【請求項５】
上記扉（２２）を上記閉鎖位置に維持する維持手段（３０）を有することを特徴とする、請求項１〜４のいずれか１つに記載の操作用の取っ手を有する座席。
【請求項６】
上記扉（２２）を上記閉鎖位置に維持する維持手段（３０）を有し、上記維持手段（３０）は、上記扉（２２）の上記回動軸（２８）の周りに巻きつけられたバネを含んでなることを特徴とする、請求項３または４に記載の操作用の取っ手を有する座席。
【請求項７】
上記柔軟な詰物（１８）は、上記支持部材（１６）の上記開口部（２０）に概ね対向して設けられた柔軟な強化部材（３２）を有することを特徴とする、請求項１〜６のいずれか１つに記載の操作用の取っ手を有する座席。
【請求項８】
上記柔軟な詰物（１８）は、上記支持部材（１６）の上記開口部（２０）に概ね対向する部分に、縮小された厚さを有することを特徴とする、請求項１〜７のいずれか１つに記載の操作用の取っ手を有する座席。
【請求項９】
上記柔軟な詰物（１８）は、上記支持部材（１６）の上記開口部（２０）に概ね対向する部分に、より大きな厚さを有することを特徴とする、請求項１〜７のいずれか１つに記載の操作用の取っ手を有する座席。
【請求項１０】
上記開口部（２０）と上記扉（２２）は、上記座席の着座者の概ね腰部の高さに設けられることを特徴とする、請求項１〜９のいずれか１つに記載の操作用の取っ手を有する座席。
【請求項１１】
上記取っ手用の上記把持端部を形成する上記開口部の端部は、上記支持部材（１６）よりも大きい厚さを有することを特徴とする、請求項１〜１０のいずれか１つに記載の操作用の取っ手を有する座席。
【発明の詳細な説明】
【技術分野】
【０００１】
本発明は、操作用の取っ手を有する座席に関し、特に薄いスポンジの詰物を有する座席に関する。
【背景技術】
【０００２】
座席の操作用の取っ手は、例えば折り畳式の座席に用いられている。  
これらの座席は、固い支持部材と、支持部材に取り付けられたスポンジの詰物を特に有する。座席の背もたれのための操作用の取っ手は従来から知られている。これらの操作用の取っ手は、固い材料でできて、舟形状をなし、支持部材の中に形成される。従って、操作用の取っ手の舟形状の部分は、着席している人の背中の方向に、スポンジの詰物の中へ向けて突出する。その結果、背もたれの、操作用の取っ手が設けられた高さの個所は固いので、人にとって不快な部分が生じることになるという問題がある。
【発明の開示】
【発明が解決しようとする課題】
【０００３】
本発明の目的は、使用しないときには座席に着席する人に不快な部分をもたらすことのない操作用の取っ手を有する座席を提供して、上記問題を解決することにある。この操作用の取っ手は、座席の背もたれと座部との少なくとも一方に設けることが可能である。
【課題を解決するための手段】
【０００４】
上記目的を達成するため、本発明は、操作用の取っ手を有する座席において、上記座席は、固い材料でできた支持部材と、上記支持部材の上にカバーによって保持された柔軟な詰物とを含んでなり、上記支持部材は、開口部と扉とを有し、上記開口部の少なくとも１つの端部は、取っ手用の把持端部を形成し、上記扉は、上記扉が上記支持部材の概ね延長上に位置付けられる閉鎖位置と、少なくとも１つの上記把持端部にアクセス可能な開口位置との間を可動であることを特徴とする、操作用の取っ手を有する座席に関する。このように、上記取っ手が使用されない上記閉鎖位置において、着座者が上記扉の存在によって不快にさせられることがないように、上記扉は上記支持部材の概ね延長上に位置付けられ、上記詰物の方へ突出させられることはない。
【０００５】
特に、上記扉は、上記閉鎖位置において、上記開口部を塞ぐことができる。
【０００６】
実施の１形態においては、上記扉は、上記開口位置において、上記詰物の方へ向けられる。このとき、上記扉を上記詰物の方へ押すだけで充分であり、その際上記詰物は圧縮され、上記支持部材の上記開口部の上記端部を掴んで上記座席を操作するために、上記扉と上記支持部材との間へ自由にアクセスすることが可能になる。
【０００７】
実施の１形態においては、上記扉は、上記開口部の、上記把持端部を形成する端部以外の端部に連結された回動軸の周りに回動可能である。
【０００８】
上記扉は、上記扉を上記閉鎖位置に維持する維持手段を有することができる。このようにして、上記開口部は、上記取っ手が使用されないときには、常に塞いでおくことができ、このことは上記詰物の破損を回避し、美的効果を得ることを可能にする。
【０００９】
上記維持手段は、上記扉の上記回動軸の周りに巻きつけられたバネを含んでなることができる。従って、単に手で押すことによって、上記扉を上記詰物の方へ移動させることができる。
【００１０】
更に実施の１形態においては、上記柔軟な詰物は、上記支持部材の上記開口部に概ね対向して設けられた柔軟な強化部材を有する。従って、上記扉が上記詰物に接触するまで上記詰物へ向かって開かれたときに、上記詰物は上記扉によって擦すられないように保護される。また上記強化部材は、上記扉が上記詰物に接触するまで上記詰物へ向かって開かれていても開かれていなくても、上記扉の開口時に、上記詰物が汚損または破損されないように上記詰物を保護することを可能にする。また上記強化部材は、使用者に上記詰物の外観を隠して、美的効果を得ることも可能にする。
【００１１】
他の１つの実施の形態においては、上記柔軟な詰物は、上記支持部材の上記開口部に概ね対向する部分に、縮小された厚さを有する。従って、上記詰物と上記支持部材との間に常時空間が設けられ、上記扉が上記詰物へ向けられた際に上記扉を開くことと、上記把持端部に対するアクセスが容易になる。
【００１２】
他の１つの実施の１形態においては、上記柔軟な詰物は、上記支持部材の上記開口部に概ね対向する部分に、より大きな厚さを有する。
【００１３】
上記開口部と上記扉は、上記座席の着座者の概ね腰部の高さに設けることができる。この高さにおける上記詰物の厚さをより大きくすることにより、着座者の背中の良好な支持が可能になり、特に腰部の良好な支持が可能になる。
【００１４】
上記取っ手用の上記把持端部を形成する上記開口部の端部は、上記把持端部の高さで手によって掴み易くするために、上記支持部材よりも大きい厚さを有することができる。
【発明を実施するための最良の形態】
【００１５】
さて、非限定的な添付図面を参照して本発明を説明する。これらの添付図面において、
図１は、本発明の第１の実施の形態による取っ手を有する背もたれを含んでなる座席の断面図であり、
図２は、本発明の第２の実施の形態による座席の、取っ手の高さにおける断面図であり、
図３は、使用時における図２の取っ手を表わす。
【００１６】
座席１０は、座部１１と背もたれ１２を含んでなる。この背もたれは、回動軸１４の回りに回動可能である。（図１）  
説明する実施の形態においては、取っ手は座席の背もたれに設けられる。  
背もたれ１２は、固い材料でできた支持部材１６と、カバー１９によって支持部材１６の上に保持された柔軟な詰物１８を有する。従って、詰物１８は支持部材に固定されず、詰物と支持部材との間を離すことが可能である。詰物は、例えば中実または蜂の巣状のスポンジからなる。
【００１７】
支持部材１６は、扉２２によって塞がれた開口部２０を有する。開口部２０は、手または複数の指の挿入を可能にするのに充分な大きさである。扉２２は、開口部２０の形状に概ね合致する形状を有し、望ましくは支持部材１６と同じ材料で形成される。扉は、閉鎖位置において固い部分が詰物及び着座者の背中の方へ突出しないように、図２に示すように支持部材の概ね延長上に配置される。
【００１８】
背もたれ１２の頂上の方向へ向けられた開口部２０の上端部２４は、図３に示すように、利用者が指でつかむための把握端部を形成する。利用者は、親指と他の指の間で上端部２４をつかむことができる。上端部２４の先端は、把握を容易にするために、支持部材の他の部分よりも僅かに大きい厚さを有することができる。
【００１９】
扉２２の一端は、扉２２が座席の詰物に向かって詰物を圧縮しながら傾斜可能なように、開口部の上端部２４に対向する下端部２６に回動軸２８を介して連結される。詰物１８の圧縮は、図１に破線で示されている。このとき、開口部２０は空いており、自由空間２７が詰物１８と支持部材１６の間に形成され、手または複数の指の挿入を可能にする。
【００２０】
回動軸２８の周囲に巻きつけられたバネ３０が、扉２２を閉鎖位置に維持することを可能にし、維持手段を形成する。詰物に対向する側からの扉の傾斜を妨げるための止め金具またはその他の手段を設けてもよい。このようにして、バネの復元力に逆らって押力を加えることによって扉を開けることができ、開口部と把持端部へのアクセスが可能になる。この押力は、図２に矢印Ｆで表わされている。
【００２１】
図２及び図３に示す実施の形態において、詰物１８は、詰物の不測の破損を回避し、詰物を覆うために取り付けられた柔軟な強化部材３２を有する。このため、強化部材３２は、開口部２０の表面と少なくとも等しい面積の表面上を概ね覆う。しかしながら、詰物１８のより大きな表面を覆ってもよい。強化部材３２は、例えば詰物に接着されたフェルトの一片からなる。摩擦に対する耐久性があり、詰物の表面に取り付けることに適したその他の柔軟な材料も使用してもよい。
【００２２】
扉２２が開かれると、扉２２は強化部材３２によりかかるようになり、自由空間２７を形成するように詰物を次第に圧縮し、指を挿入して把持端部の把持することを可能にする。（図１、３）
上記説明した実施の形態においては、詰物１８の開口に対向する部分は、開口に対向して空洞を形成するように、小さい厚さを有する。この配置は、詰物の圧縮を限定し、扉を開くことを容易にする。  
しかしながら、詰物は、扉を開くことを妨げない限りは、開口部の高さにおいて厚さを薄くしたり厚くすることなく、通常の厚さを有してもよい。この場合、扉は、閉鎖位置において、詰物に接触している。
【００２３】
図示された実施の形態においては、取っ手は、座席の着座者の腰部の高さに概ね位置付けられている。
【００２４】
勿論、把持端部へのアクセスを可能にするために扉を開く他の形態を検討することが可能である。また、扉を閉鎖位置に維持する他の手段を想定することも可能である。把持端部は、開口部のどの端部に形成してもよい。
【００２５】
上記説明した取っ手及び考えられるその変形は、座席の座部、特に座部の支持部にも設けることが可能である。
【図１】
2006509607.tif 000003
【図２】
2006509607.tif 000004
【図３】
2006509607.tif 000005
【国際調査報告】
2006509607.tif 000006
2006509607.tif 000007
2006509607.tif 000008
2006509607.tif 000009
2006509607.tif 000010
2006509607.tif 000011